【事件の表示】
　特許第２７９７８８３号「多色発光素子とその基板」の請求項に係る特許に対する特許異議の申立てについて、次のとおり決定する。
【結　論】
　訂正を認める。
　特許第２７９７８８３号の特許を維持する。
【理　由】
〔１〕手続の経緯
　特許第2797883号の請求項１〜11に係る発明は、平成５年３月18日に出願され、平成10年７月３日に特許権の設定登録がなされ、その後、特許異議の申立てがなされ、取消理由通知がなされ、その指定期間内である平成11年９月17日に訂正請求がなされ、訂正拒絶理由通知が通知され、訂正拒絶理由通知に対して手続補正書が提出されたものである。
〔２〕訂正の適否についての判断
ア.訂正請求に対する補正の適否について
　補正の内容は、以下のａ〜ｆのとおりである。
　ａ.特許請求の範囲の請求項１に記載される「発光機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と補正する。
　ｂ.特許請求の範囲の請求項２、３に記載された「電極」を「金属電極」と補正する。
　ｃ.特許請求の範囲の請求項６、７（特許掲載公報発行時の請求の範囲の請求項10、11）に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると補正する。
　ｄ.発明の詳細な説明の【課題を解決するための手段】の欄に記載される「発行機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と補正する。
　ｅ.発明の詳細な説明の【課題を解決するための手段】の欄の「第２に」の段落と「第３に」の段落に記載される「電極」を「金属電極」と補正する。
　ｆ.発明の詳細な説明の【課題を解決するための手段】の欄の「第６に」の段落と「第７に」の段落に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると補正する。
　該補正は特許請求の範囲を減縮又は誤記の訂正をしょうとするものであるから、訂正請求書の要旨を変更するものではない。
イ.訂正の内容
　上記補正後の訂正は、以下のａ〜ｇのとおりである。
　ａ.特許請求の範囲の請求項１に記載される「発光機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と訂正する。
　ｂ.特許請求の範囲の請求項２、３に記載された「電極」を「金属電極」と訂正する。
　ｃ.特許掲載公報時の特許請求の範囲の請求項６〜９を削除する。
　ｄ.特許請求の範囲の請求項６、７（特許掲載公報時の特許請求の範囲の請求項10、11）に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると訂正する。
　ｅ.発明の詳細な説明の【課題を解決するための手段】の欄に記載される「発行機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と訂正する。
　ｆ.発明の詳細な説明の【課題を解決するための手段】の欄の「第２に」の段落と「第３に」の段落に記載される「電極」を「金属電極」と訂正する。
　ｇ.発明の詳細な説明の【課題を解決するための手段】の欄の「第６に」の段落と「第７に」の段落に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると訂正する。
ウ.訂正の目的の適否、新規事項の有無及び拡張・変更の存否
　上記ａの訂正に関して、特許明細書【0017】、【0018】に「図１において、ガラス基板101上に、TiO2膜とSiO2膜を積層した半透明反射層102を形成する。その上に、透明伝導膜(ITO)103、ジアミン誘電体（TAD）のホール注入層104、アルミニウムキレート（Alq3）の発光層105、Ag:Mg金属電極106を順に形成する。ITO電極103とAg:Mg金属電極は互いに直交したマトリクスとなっていて、103をプラス、106をマイナスとして10〜15Vの直流電圧を印加すると、電極が交差している部分が画素として発光する。ここで、103、104、105のそれぞれの膜厚と屈折率の積から得られる光学的距離の和dは、半透明反射膜102がない時のAlq3の発光スペクトルの範囲である450nmと700nmの間の値である。図２は、半透明反射膜がない時Alq3の発光スペクトルを示す。透明伝導膜103の膜厚を変えることによりdの値を変え、光共振器の共振波長のピークを450nmと700nmの間で設定することが可能であり、図１の単一基体から赤、緑、青の３色を取り出すことができる。」と記載された事項に基づき、また技術常識として光は一方の面から出射し一方の面で反射するものと考えられるから「発光層の両面に形成された反射鏡とで微小光共振器が構成され、」は、「発光層の透明基体側の面に形成された半透明反射層と、他の面に形成された反射層とで微小光共振器が構成され、」の誤記であるものと認める。したがって、上記訂正ａは、誤記による訂正であって、新規事項に該当しない。
　上記ｂの訂正に関連する記載として、特許明細書【0017】には「Ag:Mg金属電極106」と記載されていることから「金属電極」は記載されているものと認める。そうすると、上記ｂの訂正は、電極を限定したものといえるから、特許請求の範囲の減縮に該当するものであり、新規事項の追加に該当しない。
　上記ｃの訂正に関して、該訂正は、特許明細書の特許請求の範囲の請求項６〜９を削除するものであるから、特許請求の範囲の減縮に該当するものであり、新規事項の追加に該当しない。
  上記ｄの訂正に関連する記載として、特許明細書【0017】に「図１において、ガラス基板101上に、TiO2膜とSiO2膜を積層した半透明反射層102を形成する。その上に、透明伝導膜(ITO)103、ジアミン誘電体（TAD）のホール注入層104、アルミニウムキレート（Alq3）の発光層105、Ag:Mg金属電極106を順に形成する。ITO電極103とAg:Mg金属電極106は互いに直交したマトリクスとなっていて、103をプラス、106をマイナスとして10〜15Vの直流電圧を印加すると、電極が交差している部分が画素として発光する。ここで、103、104、105のそれぞれの膜厚と屈折率の積から得られる光学的距離の和dは、半透明反射膜102がない時のAlq3の発光スペクトルの範囲である450nmと700nmの間の値である。図２は、半透明反射膜がない時Alq3の発光スペクトルを示す。透明伝導膜103の膜厚を変えることによりdの値を変え、光共振器の共振波長のピークを450nmと700nmの間で設定することが可能であり、図１の単一基体から赤、緑、青の３色を取り出すことができる。」と記載されていることから、「半透明反射層を備え、該半透明反射層上に膜厚の異なる透明導電層と、該透明導電層上に発光機能を有する有機薄膜からなる発光層と、該発光層上に金属電極を有」する点は特許明細書に記載されているものと認める。
　そうすると、上記訂正ｄは、特許明細書に記載された事項の範囲内において、多色発光素子基板を限定したものといえるから、特許請求の範囲の減縮に該当するものであり、新規事項の追加に該当しない。
　また、上記ｅ〜ｇの訂正は、上記a〜ｄの特許請求の範囲が訂正されたことに伴い、発明の詳細な説明の記載を整合するための訂正であるから、新規事項の追加に該当しない。
　そして、上記ａ〜ｇのいずれの訂正も、実質上特許請求の範囲を拡張し、又は変更するものでもない。
エ.独立特許要件
１）特許法第29条第２項について
（訂正明細書の請求項１〜７に係る発明）　
　訂正明細書の請求項１〜７に係る発明は、その特許請求の範囲に記載された次のとおりである。
「【請求項１】発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子。
【請求項２】透明基体上に半透明反射層、透明導電層、有機薄膜からなる発光層、金属電極が順次に形成された多色発光素子であって、半透明反射層と金属電極の間の光学的距離が異なる画素を少なくとも２個以上有する微小光共振器を含むことを特徴とする多色発光素子。
【請求項３】透明基体上に半透明反射層、透明導電層、有機薄膜からなる発光層、金属電極が順次に形成された多色発光素子であって、半透明反射層と金属電極の間の構成が微小光共振器として作用し、複数の異なる発光スペクトルの光を同一基体上の素子から取り出すことを特徴とする多色発光素子
【請求項４】透明基体上に半透明反射層を有し、該半透明反射層上に透明導電層が配置され、該透明導電層上に有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とする多色発光素子。
【請求項５】透明基体上に半透明反射層を有し、該半透明反射層上に透明導電層が配置され、該透明導電層上にホール注入層、有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とする多色発光素子。
【請求項６】透明基板と、その上に光の一部を透過し、一部を反射する誘電体の多層膜からなる半透明反射層を備え、該半透明反射層上に膜厚の異なる透明導電層と、該透明導電層上に発光機能を有する有機薄膜からなる発光層と、該発光層上に金属電極を有することを特徴とする多色発光素子用基板。
【請求項７】透明基板と、その上に誘電体の多層膜からなる半透明反射層を備え、該半透明反射層上に膜厚の異なる透明導電層と、該透明導電層上に発光機能を有する有機薄膜からなる発光層と、該発光層上に金属電極を有し、前記半透明反射層の反射率が50〜99.9％または透過率が50〜0.1％であることを特徴とする多色発光素子用基板。」
（引用刊行物に記載された発明）
　訂正明細書の請求項１〜７に係る発明（以下、「本件請求項１〜７に係る発明」という。）に対して、当審が通知した取消理由で引用した刊行物は、以下のとおりである。
　刊行物１（特開平3-187186号公報）には、光干渉フィルタを含む薄膜エレクトロルミネセンス装置に関して、「本発明は、このような問題点を解決するために、光透過性を有する電極層と光反射電極層により、蛍光体層あるいは蛍光体層と誘電体層の積層構造体に電圧が印加されるように構成されるとともに、蛍光体層あるいは蛍光体層と誘電体層の積層構造体内における、光の取出側に、蛍光体層より放射される発光波長の任意の波長λを選択的に透過する多層膜の光干渉フィルタを誘電体層に屈折率の低い誘電体膜１と屈折率の高い誘電体膜２を交互にλ/４＝膜厚・屈折率の式に従って誘電体膜２、誘電体膜１の順に２層以上積層し、さらに誘電体膜１より高い屈折率を有する蛍光体層をλ/２・Ｎ（Ｎは１以上の整数）＝膜厚・屈折率の式に従って積層し、さらに誘電体膜３をλ/４・正数＝膜厚・屈折率の式に従って誘電体膜３を積層した構成にしたことを特徴とする光干渉フィルタを含む構成にする。
　作用
　上記構成によれば、薄膜ＥＬ装置内にファブリー・ベロー光干渉計と同様の作用とする手段を設けたことになり、蛍光体層より自然放出される光がこの干渉計により任意の発光波長に対して、方向が揃えられて取り出せる。従って、蛍光体層内の発光中心から放出される所望の発光波長の光を効率良く表示面から取り出せるので、所望の発光波長に対する発光効率が10倍以上の値が得られる。」（第２頁右下欄第17行〜第３頁右上欄第２行）こと、「ガラス基板１の上に透明電極２を成膜し、その上に、発光波長に対する屈折率ｎ１が2.4程度で誘電率ｅ１、膜厚ｄ１の第１誘電体層（ａ）４ａとして成膜する。次に、この上に、屈折率ｎ２が1.5程度の光学薄膜（例えば、MgF2(n1＝1.38)、SiO2(n1＝1.52)）を成膜ｄ２で第１誘電体層(b)4bとして成膜し、再び第１誘電体層(a)と同じ誘電体薄膜を第１誘電体層(c)4cとして順に積層し、再び屈折率n2で膜厚d2の第１誘電体層(d)4dを順に積層し、さらにこの上に、屈折率n3が2.4程度で膜厚d3で膜厚d3の蛍光体層５を成膜し、屈折率n4の値がn3に似通った2.4±0.2程度の膜厚d4の誘電体膜厚を第２誘電体層６として成膜し、反射鏡層と電極層を兼ねた背面電極７を形成する。ここで、第１誘電体層(a)、(b)、(c)、(d)と蛍光体層と第２誘電体層の発光波長λ０に対する屈折率n1とn2とn3とn4は、エリプソンメータによって測定した。さらに、それぞれの誘電体層の膜厚d1、d2、d4と蛍光体層の膜厚d3は多層膜光干渉フィルタの設計法に従って、
　　ni・di＝λ0/4            …(1)
    (i＝１，２)
　　n3・d3＝λ0/2・N　　　　 …(2)
    n4・d4＝λ0/2・N」       …(3)
　（Nは、正数（1、2、3…））
なる式が満足されるように決定された。すなわち、エレクトロルミネセンスと光干渉多層膜フィルタを兼ね備えたＥＬ素子を形成したことになる。この第１図に示した本発明の一実施例の薄膜ＥＬ装置の電圧ー輝度特性は、第８図のようになり、蛍光体層からの輝度を発光面より効率的に取り出させることができることが確かめられた。」（第３頁右上欄第10行〜右下欄第２行）ことが第１〜８図とともに記載されている。
　刊行物２（Applied Physics Letters vol.58,No.1(7 January 1991)P31-33 “Rastered,uniformly separated wavelengths emitted from a two-dimentional vertical-cavity surface-emitting laser array”）には、「Figure2は、微小なキャビテイーの厚さ変化をもったレーザ列の断面図を示す。これに従ってレーザの波長も微妙に変化している。このレーザは、0.98μm帯域で出射され、その出力は研磨された透明基板から取り出される。Figure3は、この７×11のＶＣＳＥＬアレイの波長分布を示す。この分布は、9620〜9800Åの範囲にある。行及び列方向で隣接するレーザ間の波長の平均間隔は夫々2.6Å及び18.2Åである。」（第32頁右欄第11〜17行）ことが第２、３図とともに記載されている。
　刊行物３（特開平2-88689号公報）には、電界発光素子に関して、「導電層よりなる電極間に、ホール輸送層と有機色素よりなる発光層、又は、ホール輸送層と電子輸送層とに挟まれた有機色素よりなる発光層が設けられた電界発光素子」（特許請求の範囲）の点、「この方法では、電極間にホール輸送層（正孔インジェクション帯域）と有機色素よりなる発光層を設け、これに電圧を印加し発光層を発光させるものである。」（第１頁右欄第５〜８行）こと、「この導電層2aは、例えば、陽極としての役割を果たすものである。また、この導電層は通常、透明なものが望ましい。」（第２頁右上欄第７〜９行）ことが第１、２図とともに記載されている。
　2knactd+2knclad(L-d)+Φ(k)+Φ2=2mπ　(7)」　　（第62頁第15〜19行）の点が図面とともに記載されている。
（対比・判断）　
　本件請求項１に係る発明と刊行物１〜３に記載された発明を対比すると、刊行物１には、多層膜光干渉フィルタが記載され、刊行物２には、レーザ光の多層干渉膜フィルタが記載され、刊行物３には、電界発光素子が記載されているが、本件請求項１に係る発明の必須構成である「発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有する」構成を具備していない。
　そして、本件請求項１に係る発明は、上記構成を具備することにより、「単一基体を用いて簡単な構造で、高効率の多色発光素子」が得られるという明細書に記載の効果を奏することができる。　したがって、本件請求項１に係る発明は、刊行物１〜３に記載された発明に基づいて当業者が容易に発明をすることができたものとすることはできない。　
　本件請求項２に係る発明と刊行物１〜３に記載された発明を対比すると、刊行物１〜３に記載された発明には、本件請求項２に係る発明の必須構成である「半透明反射層と金属電極の間の光学的距離が異なる画素を少なくとも２個以上有する微小光共振器を含む」構成を具備していない。
　そして、本件請求項２に係る発明は、上記構成を具備することにより、「単一基体を用いて簡単な構造で、高効率の多色発光素子」が得られるという明細書に記載の効果を奏することができる。　したがって、本件請求項２に係る発明は、刊行物１〜３に記載された発明に基づいて当業者が容易に発明をすることができたものとすることはできない。　
　本件請求項３に係る発明と刊行物１〜３に記載された発明を対比すると、刊行物１〜３に記載された発明には、本件請求項３に係る発明の必須構成である「半透明反射層と金属電極の間の構成が微小光共振器として作用し、複数の異なる発光スペクトルの光を同一基体上の素子から取り出す」構成を具備していない。
　そして、本件請求項３に係る発明は、上記構成を具備することにより、「単一基体を用いて簡単な構造で、高効率の多色発光素子」が得られるという明細書に記載の効果を奏することができる。　したがって、本件請求項３に係る発明は、刊行物１〜３に記載された発明に基づいて当業者が容易に発明をすることができたものとすることはできない。
　本件請求項４に係る発明と刊行物１〜３に記載された発明を対比すると、刊行物１〜３に記載された発明には、本件請求項４に係る発明の必須構成である「半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なる」構成を具備していない。
　そして、本件請求項４に係る発明は、上記構成を具備することにより、「単一基体を用いて簡単な構造で、高効率の多色発光素子」が得られるという明細書に記載の効果を奏することができる。　したがって、本件請求項４に係る発明は、刊行物１〜３に記載された発明に基づいて当業者が容易に発明をすることができたものとすることはできない。
　本件請求項５に係る発明と刊行物１〜３に記載された発明を対比すると、刊行物１〜３に記載された発明には、本件請求項５に係る発明の必須構成である「半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なる」構成を具備していない。
　そして、本件請求項５に係る発明は、上記構成を具備することにより、「単一基体を用いて簡単な構造で、高効率の多色発光素子」が得られるという明細書に記載の効果を奏することができる。　したがって、本件請求項５に係る発明は、刊行物１〜３に記載された発明に基づいて当業者が容易に発明をすることができたものとすることはできない。
　本件請求項６に係る発明と刊行物１〜４に記載された発明を対比すると、刊行物１〜４に記載された発明には、本件請求項６に係る発明の必須構成である「透明基板と、その上に光の一部を透過し、一部を反射する誘電体の多層膜からなる半透明反射層を備え、該半透明反射層上に膜厚の異なる透明導電層と、該透明導電層上に発光機能を有する有機薄膜からなる発光層と、該発光層上に金属電極を有することを特徴とする多色発光素子用基板」の構成を具備していない。
　そして、本件請求項６に係る発明は、上記構成を具備することにより、「単一基体を用いて簡単な構造で、高効率の多色発光素子とその基板」が得られるという明細書に記載の効果を奏することができる。　したがって、本件請求項６に係る発明は、刊行物１〜４に記載された発明に基づいて当業者が容易に発明をすることができたものとすることはできない。
　本件請求項７に係る発明と刊行物１〜４に記載された発明を対比すると、刊行物１〜４に記載された発明には、本件請求項７に係る発明の必須構成である「透明基板と、その上に誘電体の多層膜からなる半透明反射層を備え、該半透明反射層上に膜厚の異なる透明導電層と、該透明導電層上に発光機能を有する有機薄膜からなる発光層と、該発光層上に金属電極を有し、前記半透明反射層の反射率が50〜99.9％または透過率が50〜0.1％であることを特徴とする多色発光素子用基板」の構成を具備していない。
　そして、本件請求項７に係る発明は、上記構成を具備することにより、「単一基体を用いて簡単な構造で、高効率の多色発光素子とその基板」が得られるという明細書に記載の効果を奏することができる。
　したがって、本件請求項７に係る発明は、刊行物１〜４に記載された発明に基づいて当業者が容易に発明をすることができたものとすることはできない。
２）特許法第36条第４項及び第５項について
　平成11年７月２日付け取消理由通知の理由２において、本件請求項６、８に係る発明は、明細書の記載が不備である点を指摘したが、それに対して特許権者は、訂正明細書で請求項６〜９を削除したので、上記の取消理由は解消された。　　
　したがって、訂正明細書の請求項１〜７に係る発明は、特許出願の際独立して特許を受けることができない発明とすることはできない。
オ.むすび
　以上のとおりであるから、上記訂正は、特許法第120条の４第２項及び同条第３項で準用する同法第126条第２−４項の規定に適合するので、当該訂正を認める。
〔３〕特許異議の申立てについての判断
ア.申立ての理由の概要
　申立人セイコーエプソン株式会社は、
　１）本件請求項１−５、７−11に係る発明は、甲第１号証（刊行物１と同じ。）、甲第２号証（刊行物２と同じ。）、甲第３号証（刊行物３と同じ。）、甲第４号証（刊行物４と同じ。）に記載された発明に基づいて当業者が容易に発明をすることができたものであるから、特許法第29条第２項の規定に違反し、本件特許は取り消されるべきである、
　２）及び、本件請求項６−９、及び11の記載及びこれに関連する発明の詳細な説明の記載は、特許法第36条第４項及び第５項に規定された要件を満たしていないので、本件特許は取り消されるべきである、と主張している。
イ.判断
１）特許法第29条第２項について
　訂正明細書の請求項１−７に係る発明は、上記〔２〕エ.１）において検討したとおり、甲第１−４号証に記載された発明に基づいて、当業者が容易に発明をすることができたものとすることができない。
２）特許法第36条第４項及び第５項について
　訂正明細書では、特許明細書の請求項６−９に係る発明を削除しており、訂正明細書の請求項７（特許明細書の請求項11）において、異議申立人は、「半透明反射層の反射率が50〜99.9％または透過率が50〜0.1%である」構成要件において、明細書の詳細な説明には、半透明の反射層の反射率または透過率について、具体的にどのような手段により実現され、どのような効果を得るものであるかについては記載がない、と主張している。
　そこで、これについて検討すると、半透明反射層自体、従来周知技術であり、これを多色発光素子用基板に適用することは当業者であれば格別困難なこととは認められない。そして、これによる効果も、明細書記載のところから容易に類推できる程度のものである。
　したがって、本件明細書の詳細な説明に半透明反射層の製造方法および効果が記載されていないからという理由だけで、請求項７に係る発明及びこれに関連する詳細な説明の記載が特許法第36条第４項及び第５項に規定する要件を満たしていないとすることはできない。
〔４〕むすび
　以上のとおりであるから、特許異議申立の理由及び証拠によっては、本件特許を取り消すことはできない。
　また、他に本件特許を取り消すべき理由を発見しない。
　よって、結論のとおり決定する。
【異議決定日】
平成１２年２月２日（２０００．２．２）
【訂正の要旨】
　ａ．特許請求の範囲の請求項１に記載される「発光機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と訂正する。
　ｂ．特許請求の範囲の請求項２、３に記載された「電極」を「金属電極」と訂正する。
　ｃ．特許掲載公報時の特許請求の範囲の請求項６〜９を削除する。
　ｄ．特許請求の範囲の請求填６、７（特許掲載公報時の特許請求の範囲の請求項１０、１１）に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると訂正する。
　ｅ．発明の詳細な説明の【課題を解決するための手段】の欄に記載される「発行機能を有する有機薄膜からなる発光層と、該発光層の両面に形成された反射鏡とで微小光共振器が構成され、該微小光共振器は前記反射鏡間の光学的距離が異なる画素を少なくとも２個以上有することを特徴とする多色発光素子」を「発光機能を有する有機薄膜からなる発光層と、該発光層の透明基体側の面に形成された半透明反射層と、他の面に形成された反射層とで微小光共振器が構成され、該微小光共振器は前記半透明反射層と前記反射層間の光学的距離が異なる画素を少なくとも２個以上有することを特徴とする多色発光素子」と訂正する。
　ｆ．発明の詳細な説明の【課題を解決するための手段】の欄の「第２に」の段落と「第３に」の段落に記載される「電極」を「金属電極」と訂正する。
　ｇ．発明の詳細な説明の【課題を解決するための手段】の欄の「第６に」の段落と「第７に」の段落に記載される「半透明反射層を備え、該半透明反射層上に透明導電層を有」するを「半透明反射層を備え、該半透明反射層上に膜厚の異なる透明導電層と、該透明導電層上に発光機能を有する有機薄膜からなる発光層と、該発光層上に金属電極を有」すると訂正する。
（５４）【発明の名称】
多色発光素子とその基板
（５７）【特許請求の範囲】
　【請求項１】発光機能を有する有機薄膜からなる発光層と、該発光層の
透明基体側の面に形成された半透明反射層と、他の面に形成された反射層
前記半透明反射層と
　【請求項２】透明基体上に半透明反射層，透明導電層，有機薄膜からなる発光層，
金属
金属
　【請求項３】透明基体上に半透明反射層，透明導電層，有機薄膜からなる発光層，
金属
金属
　【請求項４】透明基体上に半透明反射層を有し、該半透明反射層上に透明導電層が配置され、該透明導電層上に有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とする多色発光素子。
　【請求項５】透明基体上に半透明反射層を有し、該半透明反射層上に透明導電層が配置され、該透明導電層上にホール注入層，有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とする多色発光素子。
　
【請求項６】
膜厚の異なる
と、該透明導電層上に発光機能を有する有機薄膜からなる発光層と、該発光層上に金属電極
　
【請求項７】
膜厚の異なる
と、該透明導電層上に発光機能を有する有機薄膜からなる発光層と、該発光層上に金属電極
【発明の詳細な説明】
　【０００１】
　【産業上の利用分野】本発明は多色発光素子に関し、表示素子，通信用発光デバイス，情報ファイル用読／書ヘッド，印刷装置などの情報通信分野において利用される。
　【０００２】
　【従来の技術】従来の有機発光素子は、有機蛍光体薄膜の発光をそのまま取出した時は、それぞれの蛍光体の種類に応じた、１種類の発光スペクトルしか得られなかった。該手段において発光の前面にカラーフィルタを形成して発光スペクトルの一部分を取り出すことは可能であるが、取り出した光のピークの発光強度はカラーフィルタなしの場合の発光スペクトルの強度より小さくなるため、効率の大幅な低下を招く欠点がある。例えば、酸化錫インジウム等の透明電極を有する透明基板間に、有機発光体と電気絶縁性の結合剤とからなる発光体を介在させ、前記電極の陽極電極と発光体域との間にポルフィリン系化合物層を形成した有機エレクトロルミネセンスセルが提案されている（特開昭５７−５１７８１号公報）。
　【０００３】また、無機系発光体（硫化亜鉛を主成分とする）層の熱処理の有無によるエッチングレートの差異を利用し、互いに発光色が異なる複数種の発光体層を同一基板上に形成することを特徴とする多色発光ＥＬ素子が提案されている（特公平５−１５０３７号公報）。
　【０００４】
　【発明が解決しようとする課題】こうした有機薄膜を用いた発光素子は安価に提案できると云う特長を有しているが、スペクトル幅が広いために青色発光しか実現されておらず、特殊なディスプレイ等に限られていた。
　【０００５】本発明の目的は、スペクトル幅と発光特性を改善した有機発光素子を提供することにある。
　【０００６】また、本発明の他の目的は、上記有機発光素子用の基板を提供することにある。
　【０００７】
　【課題を解決するための手段】上記課題を解決するために達成された本発明の手段は次のとおりである。
　【０００８】第１に、発光機能を有する有機薄膜からなる発光層と、該発光層の
透明基体側の面に形成された半透明反射層と、他の面に形成された反射層
前記半透明反射層と
層
　【０００９】第２に、透明基体上に半透明反射層，透明導電層，有機薄膜からなる発光層，
金属
金属
　【００１０】第３に、透明基体上に半透明反射層，透明導電層，有機薄膜からなる発光層，
金属
金属
　【００１１】第４に、透明基体上に半透明反射層を有し、該半透明反射層上に透明導電層が配置され、該透明導電層上に有機導電層が配置され、該透明導電層上に有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とするにある。
　【００１２】第５に、透明基板上に半透明反射層を有し、該半透明反射層上に透明導電層が配置され、該透明導電層上にホール注入層，有機薄膜からなる発光層が設けられており、その上に電極が形成された有機発光素子であって、前記半透明反射層は発光層での発光の一部を透明基体側に透過し、発光の一部を発光層側に反射する反射機能を有し、該半透明反射層は発光層背面の電極とで光共振器として作用し、かつ半透明反射層と電極との間の光学的距離が異なるように構成されていることを特徴とする多色発光素子にある。
　【００１３】第６に、透明基板と、その上に光の一部を透過し、一部を反射する誘電体の多層膜からなる半透明反射層を備え、該半透明反射層上に
膜厚の異なる
と、該透明導電層上に発光機能を有する有機薄膜からなる発光層と、該発光層上に金属電極
　【００１４】第７に、透明基板と、その上に誘電体の多層膜からなる半透明反射層を備え、該半透明反射層上に
膜厚の異なる
と、該透明導電層上に発光機能を有する有機薄膜からなる発光層と、該発光層上に金属電極
　【００１５】
　【作用】透明基体上に半透明反射層，透明導電層，有機薄膜発光層，金属電極を備えた有機発光素子を用い、反透明反射層と電極の間が微小光共振器として作用する構成とする。このとき、上下の反射鏡間の光学的距離を変えることにより、それぞれの距離に応じた異なる発光スペクトルの光（即ち多色光）を、同一基体上の素子から高効率で取出すことができる。
　【００１６】共振器の効果は半透明反射層がない時の発光の中央付近で大きく周辺で小さいが、反透明反射鏡の反射率を周辺部で大きくとることにより大きくできる。
　【００１７】
　【実施例】（実施例１）
　図１において、ガラス基板１０１上に、ＴｉＯ２膜とＳｉＯ２膜を積層した半透明反射層１０２を形成する。その上に、透明伝導膜（ＩＴＯ）１０３，ジアミン誘電体（ＴＡＤ）のホール注入層１０４，アルミニウムキレート（Ａｌｑ３）の発光層１０５，Ａｇ：Ｍｇ金属電極１０６を順に形成する。ＩＴＯ電極１０３とＡｇ：Ｍｇ金属電極１０６は互いに直交したマトリクスとなっていて、１０３をプラス，１０６をマイナスとして１０〜１５Ｖの直流電圧を印加すると、電極が交差している部分が画素として発光する。ここで、１０３，１０４，１０５のそれぞれの膜厚と屈折率の積から得られる光学的距離の和ｄは、半透明反射膜１０２がない時のＡｌｑ３の発光スペクトルの範囲である４５０ｎｍと７００ｎｍの間の値である。
　【００１８】図２は、半透明反射膜がない時のＡｌｑ３の発光スペクトルを示す。透明伝導膜１０３の膜厚を変えることによりｄの値を変え、光共振器の共振波長のピークを４５０ｎｍと７００ｎｍの間で設定することが可能であり、図１の単一基体から赤，緑，青の３色を取り出すことができる。
　【００１９】この場合、光共振器の利得に応じて、半透明反射膜がない時のＡｌｑ３の発光スペクトル成分よりも強い発光を取り出すことが可能である。光共振器の共振波長のピークを変えるには、光学的距離の和ｄを変えれば良く、必ずしも透明伝導膜１０３の膜厚を変える必要はない。
　【００２０】（実施例２）
　図３は、透明伝導膜（ＩＴＯ）１０３，ジアミン誘導体（ＴＡＤ）のホール注入層１０４，アルミニウムキレート（Ａｌｑ３）の発光層１０５の膜厚はそれぞれ一定である。ＳｉＯ２のスペーサ１０７を設置することにより、光学的距離の和ｄを変えて、赤（Ｒ），緑（Ｇ），青（Ｂ）発光が達成される。
　【００２１】また、共振の強度，スペクトルの半値幅は、半透明反射膜がない時の発光スペクトルに、どの様な透過／反射特性を有した半透明反射膜を組み合わせるかで決まる。従って、半透明反射膜の透過／反射特性により、各発光の共振の強度，スペクトルの半値幅を設定することが可能であり、ＲＧＢそれぞれの発光強度を、ディスプレイとして要求される強度化に近付けることができる。
　【００２２】本発明を用いたディスプレイは、作成の構造によっては、画素の平面と視線とのなす角度（視角）に応じて各色の発光のピーク位置がずれる場合が生じる。これは、画素を斜め方向から観測することにより、光学的距離の和ｄが実効的に変わることから生じる。これは、あらかじめ、基体の中心位置と周辺部とで、視角を考慮に入れて光学的距離の和ｄを設定することにより解決される。
　【００２３】（実施例３）
　図１において、ガラス基板１０１上に、ＳｉＯ２膜を積層した半透明反射膜１０２を形成する。その上に、透明伝導膜（ＩＴＯ）１０３，ジアミン誘電体（ＴＡＤ）のホール注入層１０４，ポルフィリンの発光層１０５，Ａｇ：Ｍｇ金属電極１０６を順に形成する。ＩＴＯの電極１０３とＡｇ：Ｍｇ金属電極１０６は互いに直交したマトリスクとなっていて、１０３をプラス，１０６をマイナスとして１０〜１５Ｖの直流電圧を印加すると、電極が交差している部分が画素として発光する。ここで、１０３，１０４，１０５のそれぞれの膜厚と屈折率の積から得られる光学的距離の和ｄは、半透明反射膜１０２がない時のＡｌｑ３の発光スペクトルの範囲である４５０ｎｍと７００ｎｍの間の値である。
　【００２４】図２は、半透明反射膜がない時のＡｌｑ３の発光スペクトルを示す。透明伝導膜１０３の膜厚を変えることによりｄの値を変え、光共振器の共振波長のピークを４５０ｎｍと７００ｎｍの間で設定することが可能であり、図１の単一基体から、赤，緑，青の３色を取り出すことができる。
　【００２５】この場合、光共振器の利得に応じて、半透明反射膜がない時のＡｌｑ３の発光スペクトル成分よりも強い発光を取り出すことが可能である。光共振器の共振波長のピークを変えるには、光学的距離の和ｄを変えれば良く、必ずしも透明伝導膜１０３の膜厚を変える必要はない。
　【００２６】（実施例４）
　図１において、ガラス基板１０１には、ＴｉＯ２膜とＳｉＯ２膜を積層した半透明反射膜１０２を形成する。その上に、透明伝導膜（ＩＴＯ）１０３，ジアミン誘導体（ＴＡＤ）のホール注入層１０４，アルミニウムキレート（Ａｌｑ３）と硫化亜鉛とからなる発光層１０５，Ａｇ：Ｍｇ金属電極１０６を順に形成する。ＩＴＯ電極１０３とＡｇ：Ｍｇ金属電極１０６は互いに直交したマトリスクとなっていて、１０３をプラス，１０６をマイナスとして１０〜１５Ｖの直流電圧を印加すると、電極が交差している部分が画素として発光する。ここで、１０３，１０４，１０５のそれぞれの膜厚と屈折率の積から得られる光学的距離の和ｄは、半透明反射膜１０２がない時のＡｌｑ３の発光スペクトルの範囲である４５０ｎｍと７００ｎｍの間の値である。
　【００２７】図２は、半透明反射膜がない時のＡｌｑ３の発光スペクトルを示す。透明伝導膜１０３の膜厚を変えることによりｄの値を変え、光共振器の光共波長のピークを４５０ｎｍと７００ｎｍの間で設定することが可能であり、図１の単一基体から、赤，緑，青の３色を取り出すことができる。
　【００２８】この場合、光共振器の利得に応じて、半透明反射膜がない時のＡｌｑ３の発光スペクトル成分よりも強い発光を取り出すことが可能である。光共振器の共振波長のピークを変えるには、光学的距離の和ｄを変えれば良く、必ずしも透明伝導膜１０３の膜厚を変える必要はない。
　【００２９】
　【発明の効果】本発明によれば、単一基体を用いて簡単な構造で、高効率の多色発光素子とその基板を提供できる。
【図面の簡単な説明】
　【図１】本発明の一実施例であり、透明伝導膜の膜厚を変えることによりＲＧＢ発光を実現するものである。
　【図２】半透明反射膜がない時のＡｌｑ３の発光スペクトルと、光学的距離の和ｄを変えることにより取り出されるＲＧＢ各色発光である。
　【図３】本発明の一実施例であり、ＳｉＯ２のスペーサーを設置することにより、光学的距離の和ｄを変え、ＲＧＢ発光を実現するものである。
　【図４】発光機能を有する有機発光素子部の両面に反射鏡を形成して形成した微小光共振器の発光素子の断面を示す。
　【符号の説明】
１０１…硝子基板、１０２…ＴｉＯ２とＳｉＯ２膜を積層した半透明反射膜、１０３…透明伝導膜（ＩＴＯ）、１０４…ジアミン誘電体（ＴＰＢ）のホール注入層、１０５…アルミニウムキレート（Ａｌｑ３）の発光層、１０６…Ａｇ：Ｍｇ金属電極、１０７…ＳｉＯ２のスペーサー、１０８…誘電反射膜、１０９…有機発光素子部、１１０…反射膜。